(57)【要約】【課題】配管を効率よく保持することによって、カバーを分厚くすることがないだけでなく、カバーの取付作業を迅速に行うことができる配管用カバーを提供することができるようにする点にある。【解決手段】壁１１に形成された貫通孔１を通して外部に引き出された配管２，３の貫通孔付近を隠蔽するための配管用カバー７を、壁面側及び下端が開放され、かつ、内部に配管を収容可能な大きさを有する収容部１２を備えたほぼ箱型のカバー本体１３と、このカバー本体１３の下側内面に前記収容部１２の中心部側に突出して内部に収容された前記配管２，３を直接又は間接的に係止保持するための突起１４を備えさせた。【選択図】図２
2007100879.tif 000002
【特許請求の範囲】
【請求項１】
壁に形成された貫通孔を通して外部に引き出された配管の貫通孔付近を隠蔽するための配管用カバーであって、壁面側及び下端が開放され、かつ、内部に前記配管を収容可能な大きさを有する収容部が形成されたほぼ箱型のカバー本体と、このカバー本体の下側内面に備えられ、前記収容部の中心部側に突出して内部に収容された前記配管を直接又は間接的に係止保持するための突起とを備えたことを特徴とする配管用カバー。
【請求項２】
前記突起を前記カバー本体の下部の左右の開放端側にそれぞれ備えさせ、前記カバー本体の下端から下方に延びる配管をカバーする筒状の第２のカバー体を壁面に固定し、この第２のカバー体の上部に、前記カバー本体の下部を水平方向から被せることによって、前記左右の突起が該第２のカバー体を係止保持してなる請求項１に記載の配管用カバー。
【請求項３】
前記第２のカバー体の上部に、前記カバー本体の下部を水平方向から被せたときに、該第２のカバー体の上端位置を規制する接当部を該カバー本体に備えてなる請求項２に記載の配管用カバー。
【請求項４】
前記第２のカバー体の上部に、前記カバー本体の下部を水平方向から被せたときに、該第２のカバー体の被係止部に係止して該第２カバー体の少なくとも下方への移動を阻止するための係止部を該カバー本体に備えてなる請求項２又は３に記載の配管用カバー。
【請求項５】
前記カバー本体を、前記収容部を構成する本体部と、この本体部に少なくとも左右幅方向に突出したフランジ部とから構成し、そのフランジ部に、前記カバー本体を壁面にビス止めするための挿通孔を備えさせてなる請求項１〜４のいずれかに記載の配管用カバー。
【請求項６】
前記カバー本体の壁面に当て付ける当接面を備える周縁部に、当て付けた状態で外部から注入されるシーリング材を受け止めて収容可能な切欠き部又は該当接面よりも壁面側に一部が突出する状態で弾性部材を収容可能な溝部を備えさせてなる請求項１〜５のいずれかに記載の配管用カバー。
【請求項７】
前記カバー本体が合成樹脂にて構成されてなる請求項１〜６のいずれかに記載の配管用カバー。
【請求項８】
前記本体部が、ほぼ矩形状の天板部と、この天板部の壁面側を除いた３辺のうちの左右の２辺から下方に延びる左右一対の横板部と、残る１辺から下方に延びる表面側板部とから構成され、前記本体部の下端部の表面側板部と左右の横板部との連結角部を外側に緩やかに円弧状に突出する円弧部に構成し、該左右の横板部の壁面側端それぞれに、前記突起を備えさせ、該突起を壁面側に位置するほど内側に緩やかに円弧状に突出する第２の円弧部を形成し、この第２の円弧部を前記円弧部の曲率半径よりも小さな曲率半径にて構成してなる請求項５に記載の配管用カバー。
【発明の詳細な説明】
【技術分野】
【０００１】
本発明は、壁に形成された貫通孔を通して外部に引き出された配管の貫通孔付近を隠蔽するための配管用カバーに関する。
【背景技術】
【０００２】
上記配管用カバーは、壁に形成された貫通孔を通して外部に引き出された配管を保護するために設けられるものである。特に、貫通孔を通して下方の室外機に冷媒用の配管を壁面に沿って配置していくために貫通孔で湾曲した状態で引き出された配管の湾曲した部分は、直線部分に比べて経年劣化しやすいだけでなく、衝撃力にも弱いため、その部分の保護が特に必要となるものである。そこで、配管の湾曲部分を保護するための付属カバーと、配管の湾曲部分の下側に位置するストレート部分を保護するために、前記付属カバーの下端に上下方向から差し込まれて接続される直状カバーとを用いて配管を保護するようにしている。そして、カバー内に収容した配管が内部で不測に移動することがないように直状カバーの壁面に接触する左右端に収容部の内部に突出する突出部を備えさせ、それら左右一対の突出部にて配管のストレート部分を挟持するようにしている（例えば、特許文献１参照）。
【特許文献１】特開平９−２７３７７８号公報（第２図参照）
【発明の開示】
【発明が解決しようとする課題】
【０００３】
上記特許文献１では、配管の湾曲部分に配管全体の重量が加わることがないように、配管の湾曲部分よりも下方に位置するストレート部分を左右一対の突出部にて配管全体の重量の一部を確実に挟持することで支持するようにしているが、湾曲部分の重量も加わっている下方に位置するストレート部分を確実に支持するためには、大きな支持力を必要とすることから、直状カバー自体を分厚いものに構成しなければならないだけでなく、大きな挟持力が長期間に渡ってストレート部分に加わることでストレート部分を変形させてしまうこともあった。
又、前記のように湾曲部分の重量の他、ストレート部分の重量が加わる直状カバーを壁に確実に固定するためには、多数のビスを用いなければならず、カバーの取付作業が手間のかかる煩わしいものになっていた。
【０００４】
本発明が前述の状況に鑑み、解決しようとするところは、配管を効率よく保持することによって、カバーを分厚くすることがないだけでなく、カバーの取付作業を迅速に行うことができる配管用カバーを提供することができるようにする点にある。
【課題を解決するための手段】
【０００５】
本発明の配管用カバーは、前述の課題解決のために、壁に形成された貫通孔を通して外部に引き出された配管の貫通孔付近を隠蔽するための配管用カバーであって、壁面側及び下端が開放され、かつ、内部に前記配管を収容可能な大きさを有する収容部が形成されたほぼ箱型のカバー本体と、このカバー本体の下側内面に備えられ、前記収容部の中心部側に突出して内部に収容された前記配管を直接又は間接的に係止保持するための突起とを備えたことを特徴としている。
外部に引き出された配管の貫通孔付近を隠蔽するためのカバー本体に備えさせた突起にて配管を直接又は間接的に係止保持することで、貫通孔を通して外部に引き出されて湾曲した配管の重量のみを支持するだけの強度を配管用カバーに備えさせるだけで済む。貫通孔を通して外部に引き出される複数本の配管は、そのままの状態でカバー本体の突起にて直接係止保持するか、またはテープにて一纏めにしたり、第２のカバー体にてそれらをカバーした状態にし、テープ又は第２のカバー体を配管用カバーの突起にて係止保持することで間接的に係止保持することになる。前記配管用カバーの壁への固定は、別の取付部材などを介してビス止めするか、配管用カバーに備えさせたフランジ部に形成の挿通孔を利用してビス止めすることになる。また、前記配管用カバーにて第２のカバー体を係止保持する場合には、第２のカバー体の上部に配管用カバーの下部が重複するように該第２のカバー体に対して配管用カバーを水平方向から嵌め込むだけで済み、例えば上下方向に移動させて係止させる場合において上下方向に移動させるためのスペースが必要になるといったことがなく、設置スペースに拘束されることがない利点もある。
【０００６】
前記突起を前記カバー本体の下部の左右の開放端側にそれぞれ備えさせ、前記カバー本体の下端から下方に延びる配管をカバーする筒状の第２のカバー体を壁面に固定し、この第２のカバー体の上部に、前記カバー本体の下部を水平方向から被せることによって、前記左右の突起が該第２のカバー体を係止保持してもよい。
【０００７】
前記第２のカバー体の上部に、前記カバー本体の下部を水平方向から被せたときに、該第２のカバー体の上端位置を規制する接当部を該カバー本体に備えさせてもよい。
【０００８】
前記第２のカバー体の上部に、前記カバー本体の下部を水平方向から被せたときに、該第２のカバー体の被係止部に係止して該第２カバー体の下方への移動を阻止するための係止部を該カバー本体に備えさせてもよい。
【０００９】
前記カバー本体を、前記収容部を構成する本体部と、この本体部に少なくとも左右幅方向に突出したフランジ部とから構成し、そのフランジ部に、前記カバー本体を壁面にビス止めするための挿通孔を備えさせてもよい。
【００１０】
前記カバー本体の壁面に当て付ける当接面を備える周縁部に、当て付けた状態で外部から注入されるシーリング材を受け止めて収容可能な切欠き部又は該当接面よりも壁面側に一部が突出する状態で弾性部材を収容可能な溝部を備えさせてもよい。
【００１１】
前記本体部が、ほぼ矩形状の天板部と、この天板部の壁面側を除いた３辺のうちの左右の２辺から下方に延びる左右一対の横板部と、残る１辺から下方に延びる表面側板部とから構成され、前記本体部の下端部の表面側板部と左右の横板部との連結角部を外側に緩やかに円弧状に突出する円弧部に構成し、該左右の横板部の壁面側端それぞれに、前記突起を備えさせ、該突起を壁面側に位置するほど内側に緩やかに円弧状に突出する第２の円弧部を形成し、この第２の円弧部を前記円弧部の曲率半径よりも小さな曲率半径にて構成してもよい。
【００１２】
前記カバー本体を合成樹脂にて構成してもよい。
【発明の効果】
【００１３】
外部に引き出された配管の貫通孔付近を隠蔽するためのカバー本体に備えさせた突起にて貫通孔に最も近い配管を直接又は間接的に係止保持する構成にすることによって、貫通孔を通して外部に引き出されて湾曲した配管の重量のみを支持するだけの強度を配管用カバーに備えさせるだけで済ませることができるから、カバーを分厚くすることも必要ではなく、しかも、壁面への配管用カバーの固定も多数のビスを用いなくても確実に支持させることができるから、配管用カバーの取付作業も迅速に行うことができる。
また、前記配管用カバーにて第２のカバー体を係止保持する場合には、第２のカバー体の上部に配管用カバーの下部が重複するように該第２のカバー体に対して配管用カバーを水平方向から嵌め込むだけで済み、例えば上下方向に移動させて係止させる場合において上下方向に移動させるためのスペースが必要になるといったことがなく、設置スペースに拘束されることがない利点もあり、施工面において有利になる。
【００１４】
前記突起を前記カバー本体の下部の左右の開放端側にそれぞれ備えさせ、前記カバー本体の下端から下方に延びる配管をカバーする筒状の第２のカバー体を壁面に固定し、この第２のカバー体の上部に、前記カバー本体の下部を水平方向から被せることによって、前記左右の突起が該第２のカバー体を係止保持することによって、配管を係止保持できる構成にすることができ、前述のように、例えば上下方向に移動させて係止させる場合において上下方向に移動させるためのスペースが必要になるといったことがなく、設置スペースに拘束されることがない利点もあり、施工面において有利になる。
【００１５】
前記第２のカバー体の上部に、前記カバー本体の下部を水平方向から被せたときに、該第２のカバー体の上端位置を規制する接当部を該カバー本体に備えさせることによって、第２のカバー体の上端位置が接当部に接当するようにカバー本体を水平方向から被せることで、カバー本体に対して常に同一位置にて第２のカバー体を係止保持させることができ、施工後の仕上がり精度を高めることができる。
【００１６】
前記第２のカバー体の上部に、前記カバー本体の下部を水平方向から被せたときに、該第２のカバー体の被係止部に係止して該第２のカバー体の少なくとも下方への移動を阻止するための係止部を該カバー本体に備えさせることによって、第２のカバー体に対する突起による係止保持が解除された場合や、該係止保持力が小さな場合でも、第２のカバー体がカバー本体に対して少なくとも下方へ移動することを確実に阻止することができる。
【００１７】
前記カバー本体を、前記収容部を構成する本体部と、この本体部に少なくとも左右幅方向に突出したフランジ部とから構成し、そのフランジ部に、前記カバー本体を壁面にビス止めするための挿通孔を備えさせることによって、別の取付部材にてカバー本体を壁面に固定する場合に比べて部品点数の削減化と組付作業の容易化を実現することができる。しかも、本体部とは別にフランジ部を備えさせることによって、配管を収容する収容部の体積を確実に確保することができながらも、ビス止めを配管に邪魔にならない状態で行うことができる。
【００１８】
前記カバー本体の壁面に当て付ける当接面を備える周縁部に、当て付けた状態で外部から注入されるシーリング材を受け止めて収容可能な切欠き部又は該当接面よりも壁面側に一部が突出する状態で弾性部材を収容可能な溝部を備えさせることによって、カバー本体と壁面との水密性（気密性）を確実に高めることができる。前記シーリング材の場合には、壁面とカバー本体との接着剤としても利用することができ、壁面からの剥がれに対して有利になる。又、弾性部材の場合には、シーリング材の場合において切欠き部からシーリング材の一部がはみ出してしまうといったことがない。
【００１９】
本体部が、ほぼ矩形状の天板部と、この天板部の壁面側を除いた３辺のうちの左右の２辺から下方に延びる左右一対の横板部と、残る１辺から下方に延びる表面側板部とから構成され、前記本体部の下端部の表面側板部と左右の横板部との連結角部を外側に緩やかに円弧状に突出する円弧部に構成し、該左右の横板部の壁面側端それぞれに、前記突起を備えさせ、該突起を壁面側に位置するほど内側に緩やかに円弧状に突出する第２の円弧部を形成し、この第２の円弧部を前記円弧部の曲率半径よりも小さな曲率半径にて構成することによって、壁面側の開口側において突起が配管に直接又は間接的に係止し易くなり、配管を突起にて確実に係止保持することができる。
【発明を実施するための最良の形態】
【００２０】
図１及び図２（ａ），（ｂ）に、壁に形成された貫通孔１を通して外部に引き出された配管２，３及び電線５を室外機４まで壁面１１に沿わせて壁面１１に固定された４つのカバー７，８，９，１０にて覆った状態を示している。具体的には、冷媒用の２本の配管２，３と室外機４駆動用としての電源供給用の被覆電線５との３本をテープ６にて一体化したものを、該貫通孔１を通して外部に引き出し、それの貫通孔１付近を隠蔽するための合成樹脂製の配管用カバー７と、この配管用カバー７の下端に連結保持された合成樹脂製で円筒状のストレートな第１保護カバー８と、この第１保護カバー８の下端にほぼＬ字状の合成樹脂製のコーナーカバー９を介して接続された合成樹脂製の第２の保護カバー１０とを壁面１１に沿って備えさせているが、具体的構成は、図に示されるものに限定されるものではない。尚、前記配管２，３には、スポンジなどからなる断熱材２Ａ，３Ａがそれぞれ巻き付けられている。前記カバー７，８，９，１０を合成樹脂で構成することによって、重量面及び製造面において有利になるが、木製などで構成してもよい。
【００２１】
前記配管用カバー７は、図２（ａ），（ｂ）〜図５に示すように、外部に引き出された配管２，３及び電線５が収容された第１保護カバー８に対して水平方向から被せるだけでそれらを覆うことができるように壁面側が開放されるとともに、それら配管２，３及び電線５を下方へ案内することができるように下端が開放され、かつ、内部に配管を収容可能な大きさを有する収容部１２を備えたほぼ箱型のカバー本体１３と、このカバー本体１３の下側内面に内方に突出して内部に収容される第１保護カバー８の上端を係止保持するための突起１４とを備えている。
【００２２】
前記第１保護カバー８は、二つの半割カバー８Ａ，８Ｂをそれらが対向位置する両端それぞれに備えさせた係止部同士の係止作用により円筒状に構成できるようになっており、一方（壁面側）の半割りカバー８Ｂには、ビス２３にて壁面１１に固定するための挿通孔８ｂが形成されている。従って、一方の半割りカバー８Ｂを壁面１１にビス２３にて固定し、前記配管２，３及び電線５の一部を半割りカバー８Ｂ内に入り込ませた状態から、この固定された一方の半割りカバー８Ｂに他方の半割りカバー８Ａを係止させて、第１保護カバー８を構成し、配管２，３及び電線５を第１保護カバー８内に収容するようにしているが、円筒状の単一の第１保護カバー８であってもよい。
【００２３】
前記カバー本体１３を、前記収容部１２を構成する本体部１３Ａと、この本体部１３Ａに上端全域及び左右端のうちの下側を除いた部分から上方及び左右幅方向に突出した門型のフランジ部１３Ｂとからなり、そのフランジ部１３Ｂの左右の２箇所に、前記カバー本体１３を壁面１１にビス止めするための挿通孔１５を備えさせている。前記フランジ部１３Ｂは、本体部１３Ａの上端を除いた左右端の全部又は一部のみに設けて実施することもできる。ここでは、フランジ部１３Ｂの左右の２箇所に挿通孔１５を備えさせているが、フランジ部１３Ｂの上端の１箇所にのみ形成してもよいし、フランジ部１３Ｂの左右の２箇所とフランジ部１３Ｂの上端の１箇所に挿通孔１５を備えさせて、それら３箇所のうちの２箇所のみにビスを挿通させてビス止めするようにしてもよいが、挿通孔１５の個数は、これら以外の個数であってもよい。
【００２４】
図４（ａ），（ｂ）及び図５に示すように、前記本体部１３Ａが、ほぼ矩形状の天板部１３ａと、この天板部１３ａの壁面側を除いた３辺のうちの左右の２辺から下方に延びる左右一対の横板部１３ｂ，１３ｃと、残る１辺から下方に延びるとともに下側に壁面１１側に緩やかに傾斜してから上下方向に延びて前記収容部１２の下側の体積を小さくする表面側板部１３ｄとから構成され、前記本体部１３Ａの下端部の表面側板部１３ｄと左右の横板部１３ｂ，１３ｃとの連結角部を外側に緩やかに円弧状に突出する円弧部１６，１６に構成し、該左右の横板部１３ｂ，１３ｃの壁面側端それぞれに、前記突起１４を備えさせ、該突起１４，１４を壁面１１側に位置するほど収容部１２の内側に緩やかに円弧状に突出する第２の円弧部１７，１７を形成し、この第２の円弧部１７，１７を前記円弧部１６，１６の曲率半径よりも小さな曲率半径にて構成することによって、図２（ｂ）に示すように、収容部１２の中心部側への突出度合いが大きくなり、第２の円弧部１７，１７が第１保護カバー８に係止し易く構成することができ、確実に第１保護カバー８を係止保持することができるようにしているが、第２の円弧部１７，１７を直線状に延びる直線部から構成してもよいし、第２の円弧部１７，１７に構成しないでもよい。又、図では第２の円弧部１７，１７の突出面を外側に膨出する凹状の円弧面としたが、これとは逆に内側に膨出する凸状の円弧面であってもよい。
ここでは、前記第１保護カバー８を第２の円弧部１７，１７にて係止保持させる場合を示したが、図１１（ａ），（ｂ）に示すように、配管２，３及び電線５を一体化したテープ６を第２の円弧部１７，１７にて係止保持させる構成にしてもよい。この場合、テープ６を柔らかい材料にて構成したものから構成しておけば、第２の円弧部１７，１７による係止保持がより確実に行わせることができる。又、テープ６と配管用カバー７の内面との間に発生する隙間を埋めるためのゴムやスポンジ等からなる部材を設け実施すれば、前記係止保持が解除され難い利点がある。
【００２５】
前記本体部１３Ａの表面側板部１３ｄの下側内面及び横板部１３ｂ，１３ｃの下側内面に、それら板部１３ｄ，１３ｂ，１３ｃの左右幅よりも少し小さな幅を有する横長状の補助突起１８，１９，２０を一体形成してあり、図２（ａ）に示すように、配管用カバー７の下端を、第１保護カバー８の上端に被せるときに、配管用カバー７に対する第１保護カバー８の上端位置を接当規制するための位置規制用の接当部材であるが、無くてもよい。又、前記表面側板部１３ｄの突起１８の左右方向ほぼ中央で直下位置に該突起１８よりも収容部１２内側に突出する第２の補助突起２１を一体形成してあり、図２（ａ）に示すように、配管用カバー７の下端を、第１保護カバー８の上端に被せるときに、第１保護カバー８に形成の貫通孔８ａに前記補助突起２１が水平方向（壁面１１に向かう方向）から係止することによって、第１保護カバー８が配管用カバー７に対して下方は勿論のこと左右方向へも移動することがないように連結して、特に保護カバー８に加わる配管２，３及び電線５からの荷重が大きい場合でも、前記ビス２３だけでなく、第２の補助突起２１にて荷重の一部を支持させることができる利点があるが、第２の補助突起２１を省略して実施してもよい。前記補助突起２１に係止するものとして、貫通孔８ａを示したが、上下方向においてのみ係止することができる突起であってもよい。
【００２６】
図６及び図７（ａ），（ｂ）に示すように、前記カバー本体１３の壁面１１に当て付ける当接面を備える周縁部を構成するフランジ部１３Ｂに、当て付けた状態で外部から注入されるシーリング材を受け止めて収容可能な切欠き部１３Ｍを備えさせて実施することによって、特に水の侵入を阻止することができるように、水密性（気密性）を高めるようにしてもよい。又、図８に示すように、前記切欠き１３Ｍをフランジ部１３Ｂだけでなく、カバー本体１３の横板部１３ｂ，１３ｃの外面まで延ばすことによって、気密性をさらに高めるようにしてもよい。シーリング材を注入するタイミングは、カバー本体１３を壁面１１にビス止めした後でもよいし、該ビス止めする前であってもよい。又、ここでは周縁部をフランジ部１３Ｂとしているが、フランジ部１３Ｂでなくてもよい。図６及び図７（ａ），（ｂ）に示す説明しなかった他の構成は、図１〜図５と同一であり、同一の符号を付している。
【００２７】
又、図９に示すように、前記カバー本体１３の壁面１１に当て付ける当接面を備える周縁部を構成するフランジ部１３Ｂに、該当接面よりも壁面１１側に一部が突出する状態で弾性部材２２を収容可能な壁面１１側が開放された溝部１３Ｎを備えさせて実施してもよい。この場合、図示していないが、溝部１３Ｎの左右方向外側にビスの挿通孔１５を備えさせることになるが、溝部１３Ｎの位置と挿通孔１５の位置とを左右方向反対に位置させてもよい。
又、前記弾性部材２２を、図１０に示すように、フランジ部１３Ｂの外周縁に外嵌する断面形状コの字状に構成したものであってもよい。この場合、図示していないが、フランジ部１３Ｂの内側部分にビスの挿通孔１５を備えさせることになるが、弾性部材２２を外嵌する位置と挿通孔１５の位置とを左右方向反対に位置させてもよい。又、ここでは周縁部をフランジ部１３Ｂとしているが、フランジ部１３Ｂでなくてもよい。図６及び図７（ａ），（ｂ）に示す説明しなかった他の構成は、図１〜図５と同一であり、同一の符号を付している。
【００２８】
図１２〜図１４に、別の配管用カバーを示している。このカバーは、図１５で示す内部中空（中空でなくて中実のものてもよい）でゴム製（合成樹脂製でもよい）パッキン２４を収容することができる溝２５を備えさせたものである。前記溝２５は、カバーの外周縁のうちの壁面１１と接触する面のほぼ全域に渡ってパッキン２４を収容することができるように形成している（図では溝２５の両端、つまり左右２つの下端が閉じられている状態になっているが、両端が開放された状態にすることによって、パッキン２４を壁面１１と接触する面の全域に渡って備えさせて水密性を更に高めるようにしてもよい）。前記溝２５の内周側部分に一段深くなっている部分２５Ａを備えさせているのは、成形時の樹脂の収縮により溝２５の表面に生じる陥没現象（ヒケ）を防止するためであり、ヒケが発生しにくい樹脂材料などによっては無くてもよい。尚、図１１では、前記挿通孔１５を３つ形成した場合を示している。又、他の説明しなかった部分は図１〜図８に示したものと同一であり、同一の符号を付すとともに説明を省略する。
【図面の簡単な説明】
【００２９】
【図１】外側に引き出された配管を４つのカバーにより覆った状態を示す斜視図である。
【図２】配管用カバーを壁面の貫通孔付近に取り付けた部分を示し、（ａ）はそれの縦断側面図、（ｂ）はそれの横断底面図である。
【図３】配管用カバーを示し、（ａ）はそれの底面図、（ｂ）は（ａ）の横断面図を示し、左右の中央位置からの切断位置を左右で異ならせている。
【図４】配管用カバーを示し、（ａ）はそれの背面図、（ｂ）はそれの縦断側面図である。
【図５】配管用カバーの斜視図である。
【図６】第２の配管用カバーの斜視図である。
【図７】第２の配管用カバーを示し、（ａ）はそれの背面図、（ｂ）はそれの底面図である。
【図８】第３の配管用カバーを示す斜視図である。
【図９】第４の配管用カバーを壁面に取り付けた状態を示す一部省略した横断平面図である。
【図１０】第５の配管用カバーを壁面に取り付けた状態を示す一部省略した横断平面図である。
【図１１】（ａ）は第１の配管用カバーにて配管及び電線を係止保持した状態を示す縦断側面図、（ｂ）はそれの横断底面である。
【図１２】第６の配管用カバーを示し、（ａ）はそれの背面図、（ｂ）はそれの縦断側面図である。
【図１３】第６の配管用カバーの要部を示す断面図であり、（ａ）はそれのフランジ部の溝の部位で切断したものを示し、（ｂ）はそれのフランジ部の挿通孔の部位で切断した要部の断面図である。
【図１４】第６の配管用カバーの下側部分の溝の部位で切断した要部の断面図である。
【図１５】第６の配管用カバーの溝に入り込ませるパッキンの斜視図である。
【符号の説明】
【００３０】
１  貫通孔
２，３  配管
４  室外機
５  電線
６  テープ
７  配管用カバー
８  第１保護カバー
９  コーナーカバー
１０  第２保護カバー
１１  壁面
１２  収容部
１３  カバー本体
１３Ａ  本体部
１３Ｂ  フランジ部
１３Ｎ  溝部
１３ａ  天板部
１３ｂ，１３ｃ  横板部
１３ｄ  表面側板部
１３Ｍ  切欠き部
１４  突起
１５  挿通孔
１６，１７  円弧部
１８〜２１  補助突起
２２  弾性部材
２３  ビス
２４  パッキン
【図１】
2007100879.tif 000003
【図２】
2007100879.tif 000004
【図３】
2007100879.tif 000005
【図４】
2007100879.tif 000006
【図５】
2007100879.tif 000007
【図６】
2007100879.tif 000008
【図７】
2007100879.tif 000009
【図８】
2007100879.tif 000010
【図９】
2007100879.tif 000011
【図１０】
2007100879.tif 000012
【図１１】
2007100879.tif 000013
【図１２】
2007100879.tif 000014
【図１３】
2007100879.tif 000015
【図１４】
2007100879.tif 000016
【図１５】
2007100879.tif 000017